(57)【特許請求の範囲】
【請求項１】
各々刃部及びリング部を有する静刃及び動刃が、支点において動作可能に組合わされたヘアカット用ハサミにおいて、
静刃又は動刃の刃部を、直接押した場合においてそのリング部に対して回転可能とすると共に、カットに使用する場合にそのリング部に対して動かないようにし、
静刃及び動刃における、リング部が隣接した状態での刃部の角度を拡大状態で保持可能とし、
更に、静刃及び動刃における刃元を、支点の側方あるいはこれよりリング部側に配置したことを特徴とするヘアカット用ハサミ。
【請求項２】
刃部を所定角度において保持可能としたことを特徴とする請求項１に記載のヘアカット用ハサミ。
【請求項３】
刃部を支点において回転するようにしたことを特徴とする請求項１又は請求項２に記載のヘアカット用ハサミ。
【請求項４】
静刃及び動刃を静刃側に傾斜させて、逃げを形成したことを特徴とする請求項１乃至請求項３の何れかに記載のヘアカット用ハサミ。
【請求項５】
請求項１乃至請求項４の何れかに記載のヘアカット用ハサミを用い、静刃及び動刃における刃部の角度が６０度から９０度の間であるときの刃部の交差部のみを用いて髪束をカットすることを特徴とするヘアカット方法。
【発明の詳細な説明】
【０００１】
【発明の属する技術分野】
本発明は、仕上りの良好なヘアカット方法の実施において使用するのに好適なハサミに関する。
【０００２】
【従来の技術】
図６に示すように、従来のヘアカット方法において用いられるハサミ８１は、刃８４を十分に角度を付けて適用する観点がないため、刃８４の刃元８６が支点８２から上方へ離れるように配置されている。
【０００３】
【発明が解決しようとする課題】
従来のハサミ８１にあっては、刃８４の刃元８６が支点８２から上方に配置されているため、刃８４の間を略６０度以上開くと、刃８４でない部分が現れてしまい、髪をカットすることができない。
【０００４】
本願出願人は、特願２００２−５９２００において、ハサミにおける刃の支点近傍のみを髪に適用するという、従来のカット方法による髪の切断面（図５（ｃ）、その成長後の様子は図５（ｄ））に比較して格段に綺麗な切断面（図５（ａ）、その成長後の様子は図５（ｂ））を形成できて仕上りの良好である斬新なヘアカット方法を提案すると共に、当該方法の実施のために、刃元８６を支点８２の側方近傍に達するようにしたハサミを提案したが、当該ハサミを使用して上記カット方法を行う場合、刃８４が十分に開いた状態を保って操作しなければならず、手を開いたまま指を動かすこととなり、このような操作はある程度の熟練を要すると共に、手の小さい美容師等には比較的に不利となっている。
【０００５】
そこで、請求項１に記載の発明は、仕上りの良好なヘアカット方法をより簡単に行えるハサミを提供することを目的としたものである。
【０００６】
【課題を解決するための手段】
上記目的を達成するために、請求項１に記載の発明は、各々刃部及びリング部を有する静刃及び動刃が、支点において動作可能に組合わされたヘアカット用ハサミにおいて、静刃又は動刃の刃部を、直接押した場合においてそのリング部に対して回転可能とすると共に、カットに使用する場合にそのリング部に対して動かないようにし、静刃及び動刃における、リング部が隣接した状態での刃部の角度を拡大状態で保持可能とし、更に、静刃及び動刃における刃元を、支点の側方あるいはこれよりリング部側に配置したことを特徴とするものである。
【０００７】
請求項２に記載の発明は、上記目的に加えて、より一層扱い易くする目的を達成するため、刃部を所定角度において保持可能としたことを特徴とする。
【０００８】
請求項３に記載の発明は、上記目的に加えて、よりシンプルな構成とする目的を達成するため、刃部を支点において回転するようにしたことを特徴とする。
【０００９】
請求項４に記載の発明は、上記目的に加えて、より一層優れた仕上りを提供する目的を達成するため、静刃及び動刃を静刃側に傾斜させて、逃げを形成したことを特徴とする。
【００１０】
請求項５に記載の発明は、仕上りが良好で簡単に行えるヘアカット方法を提供する目的を達成するため、上記ヘアカット用ハサミを用い、静刃及び動刃の角度が６０度から９０度の間であるときの静刃及び動刃の交差部のみを用いて髪束をカットすることを特徴とする。
【００１１】
【発明の実施の形態】
以下、本発明の実施の形態を図面に基づいて説明する。
【００１２】
図１は本発明に係るハサミ１の説明図であって、ハサミ１は、静刃２と動刃４とが支点としてのネジ６及びパッキン８により互いに回転可能に組合わされてなる。尚、ハサミ１は右手用である。
【００１３】
静刃２は、図２にも示すように、刃部１０とリング部１２とを含む。刃部１０の大部分は、リング部１２に右手を入れた場合の右手側へ刃元１６から反るような逃げＲの付与された刃１４とされており、その刃元１６より元側における触点部１８の略中央に支点のための孔１９が位置している。尚、刃元１６は、刃部１０の中心線に略垂直である支点の側方を示す線Ｃより元側（リング部１２の側）にまで達している。
【００１４】
又、触点部１８の元側の辺２０は円弧状に形成されており、図３（ａ）にも示すように、辺２０から孔１９の先端側までの元側部分における肉厚を触点部１８の先側の半分弱とすることにより、円盤状部２４が形成されている。尚、図３（ｂ）に示すように、ハサミ１においても触点部１８の元側あるいはリング部１２の先側等に触点２１が設けられており、他が若干浮いた状態で組合わされることで、静刃２の刃１４と後述する動刃の刃４４との交差部における角度を問わない互いの接触が確保される。
【００１５】
更に、図３（ｃ）に示すように、円盤状部２４の内面の辺２０側には、孔１９を中心とする円に沿うようにして、所定角度（例えば５度）毎に、ある角度（例えば４５度）に亘って、溝２８が形成されている。
【００１６】
一方、リング部１２の一端には、指を掛けるリング３０が形成されており、他端には、肉厚が半分弱となる円盤状部３２が形成されている。円盤状部３２の先端縁略中央には、ネジ６と略同じ直径の孔３３が空けられている。更に、円盤状部３２の内面には、溝２８と同様の溝３６が形成されている。
【００１７】
そして、刃部１０とリング部１２とは、円盤状部２４，３２の内面同士を合わせ、その間に、表面に付されたバネの作用により溝２８，３６に係止する係止具３８を媒介させたうえで、孔１９，３３にネジ６を通すことにより組合わされている。従って、刃部１０とリング部１２とは、一方に対して他方が支点の周りで回転可能となる。又、係止具３８及び溝２８，３６により、刃部１０あるいはリング部１２が他方に対して固定され、当該回転の角度を保持可能となる。更に、溝２８，３６の配置により、所定角度において保持可能とされる。尚、このような保持により、刃部１０とリング部１２との一方は、カットに使用する場合に他方に対して動かないものとなるが、手で調節する場合は、一方は他方に対して回転可能となる。
【００１８】
他方、動刃４も静刃２と同様になり、刃部１０に相当する刃部４０において、触点部４８の円盤状部５４が、辺５０側に溝５８を付して設けられていると共に、リング部１２に相当するリング部４２において、リング６０と逆側に円盤状部６２が溝６６を付して設けられており、円盤状部５４，６２が係止具６８を介して合致した状態で静刃２と共通のネジ６を孔４９，６３に通すことによって、刃部４０とリング部４２とが所定角度において保持可能に組合わされる。尚、静刃２と動刃４もネジ６により組合わされるが、この点は通常のハサミと同様である。又、静刃２における刃１４と同様に、動刃４における刃４４に逃げＲが付与されている。
【００１９】
従って、ハサミ１は、双方のリング部１２，４２を固定しながら、刃部１０，４０を各々上記所定角度ずつ開き、リング部１２，４２が隣接した場合における刃部１０，４０の角度を調節し、０度より拡大した状態で保持することが可能である。ここで、当該角度は、溝の配置により、静刃２あるいは動刃４の各々の側に５度ずつ、最大９０度までとなる。尚、刃１４，４４に注意すれば、刃部１０，４０を閉じながらリング部１２，４２を開いて、あるいはこれらを併用して、刃部１０，４０の角度を拡大することが可能である。又、ハサミ１は、双方の刃１４，４４において、刃元１６，４６から逃げＲが付与されていることとなる。
【００２０】
続いて、ハサミ１を用いて行われる仕上りの良好なヘアカット方法について、図４に基づき説明する。
【００２１】
（ａ）ハサミ１の刃部１０，４０の角度を、リング部１２，４２が隣接した状態において、刃元１６，４６の近傍（支点近傍）が現れ、刃１４，４４の角度が十分（略６０度以上略９０度以下）となるように調節する。このとき、静刃２の係止具３８は、刃部１０の溝２８とリング部１２の溝３６とに係止し、リング部１２が刃部１０に対して指の力を直接掛けない限り動かないようにする。又、動刃４の係止具６８も、刃部４０の溝５８とリング部４２の溝６６とに係止し、リング部４２が刃部４０に対して指の力を直接掛けなることで押さない限り動かないように保持する。従って、刃１４，４４の角度が十分であるように拡大されていても、リング部１２，４２を接近した状態で操作することができ、このような操作を行うために刃１４，４４の角度調節が可能であっても、操作時に刃１４，４４の角度が変り、刃１４，４４がリング部１２，４２における操作を離れて動いてしまうことはない。
【００２２】
そして、十分開いた刃１４，４４の交差部、即ち刃元１６，４６の近傍に髪束（髪）Ｈを乗せる。この手順も、リング部１２，４２が接近した状態で行えるため、簡単である。ハサミ１は、髪束Ｈを挟む向きとなり、交差部が上方となり、刃１４が理美容師の肘側となり、刃４４がその逆側となり、ハサミ１全体を含む面が持ち手に係る腕に対して略垂直となる。髪束Ｈは、乗せた後、ハサミ１を持たない左手で触れないか軽く添えるのみとし、ハサミ１の刃元１６，４６の近傍において支持するようにする。このとき、髪束Ｈが自身の重みにより脱落せず、かつ自然に垂下がるようにする。
【００２３】
（ｂ）ハサミ１は、刃１４，４４が髪束Ｈに沿う方向に進入するように倒す。倒す方向は、刃１４，４４の先がカット対象者Ｇの側となるようにする。すると、一点鎖線で示すような、倒さない場合の刃１４，４４と髪束Ｈとの三角状の隙間Ｖが、二点鎖線で示すように髪束に寄ってより小さい隙間Ｗとなり、手前に倒さない場合より更に刃１４，４４の支点に近い側を適用することができる。又、ハサミ１の逃げＲは手前方向となるため、点線乃至実線で示すように刃１４，４４は髪束Ｈに更に沿う方向に逃げるようになり、この場合の隙間Ｘは更に小さくなって、より一層刃１４，４４の支点側を適用可能となる。
【００２４】
（ｃ）そして、ハサミ１を、髪束Ｈに対する進入角度は略保ったまま、髪束Ｈに略沿う方向に、手首Ｎを使うことで移動させつつ、静刃２及び動刃４を通常小刻みに操作し、刃元１６，４６の近傍（支点近傍）のみを用いて髪束Ｈをカットしていく。このとき、刃１４，４４の角度は略６０度乃至略９０度の間と、十分に拡大された状態で動作する。このようなハサミ１の操作は、刃１４，４４の角度が十分拡大されていてもリング３０，６０が接近しているため、髪束Ｈに沿った移動を除き一般的なものに極めて近似することとなり、仕上りの良いカットを、手が大きくなくとも、あるいは熟練者でなくとも行い易いものとなる。又、ハサミ１を移動することにより、刃１４，４４は、髪束Ｈに沿って進行していく。これを髪の部分あるいは全体について行う。
【００２５】
（ｄ）このようなヘアカット方法にあっては、刃元１６，４６の近傍（刃１４，４４の支点近傍）において髪束Ｈをカットするため、刃１４，４４を、大きな角度で開き、髪束Ｈとの隙間Ｙをより小さい隙間Ｚとして、髪の片側から適用することができ、角度が少なく大きい隙間Ｙとなる刃先Ｆによるカットのように髪を圧迫することなくまさに髪を「切る」ことが可能となる。従って、髪の切断面は凹凸の少ないものとなり、枝毛等を抑制することができる。
【００２６】
又、てこの原理により、刃１４，４４の支点近傍の方が先端側よりも少ない操作力でカットすることができ、軽やかにカットを進めることができるし、更に上記のような圧迫による弾性抵抗を髪束Ｈから受けることが少なく、破断力等のための余分なエネルギーも殆ど必要ないこともあって、ハサミ１の刃１４，４４の摩耗が少なくなり、ハサミ１が長持ちする。尚、弾性抵抗や破断力等によって発生してしまう振動を防止することもでき、このことも凹凸の殆どない良好な切断面の形成に役立つ。
【００２７】
加えて、髪束Ｈを刃１４，４４の支点近傍において支持するため、髪束Ｈを下りている普段の状態において重力のみの影響を受けてカットすることができ、仮に余分な微弱力が掛った場合には、その分だけ髪束Ｈが若干逃げるようにカットすることができ、切断面に無理がなく、自然な仕上りとなるようにすることができる。
【００２８】
又、ハサミ１を倒して、刃１４，４４の支点近傍を、髪束Ｈに略沿う方向に進入させた状態を保ちつつ、髪束Ｈに略沿う方向に移動させながらカットするため、髪束Ｈに沿って切始めながらも、髪束Ｈの描く自然な弧に対して移動することとなって、髪束Ｈに対する刃１４，４４の進行を丸く変えることとなり、これによって、切断面は、凹凸か少ないながらも、図５（ａ）に示すように髪の中心部を残す綺麗なものとなる。更に、シャープで綺麗な切断面によって、図５（ｂ）に示すように、丸みを帯びた触り心地の良い毛先の成長が促される。従って、枝毛の発生を防止することができ、枝毛が気にならなくなるし、切断直後から成長後にかけて、カット後の手触りの滑らかさが持続する。
【００２９】
（ｅ）又更に、特に支点近傍を髪に略沿う方向に移動させながら刃１４，４４を小刻みに操作すると、徐々に髪の長さを変化させることができ、スキバサミで一部の髪束を段状にカットするのとは異なり、毛の重なりにおいて限りなく滑らかに段差を付与することができるし、髪量の調整も綺麗さを保持した状態で行える。
【００３０】
そして、このヘアカット方法に用いるハサミ１として、静刃２又は動刃４の刃部１０，４０を、直接押した場合においてそのリング部１２，４２に対して回転可能とし、静刃２及び動刃４における、リング部１２，４２が接近した状態での刃部１０，４０の角度を拡大状態で保持可能としたものを採用したため、角度の拡大に基づき刃１４，４４の支点近傍を適用し易く、刃１４，４４の角度が略６０度乃至略９０度の間と、片側に寄った状態で「切る」ための刃１２，１４の適用が可能でありながら、リング３０，６０を接近状態とすることができ、ハサミ１の寿命が延び、切断面を綺麗に形成するためのヘアカットをより簡単に実行することができる。
【００３１】
又、刃部１０，４０を所定角度において保持可能としたため、刃元１６，４６の付近におけるカットのための調整が行い易いし、刃部１０，４０をリング部１２，４２に対し所定角度においてより確実に固定することができ、安全性を更に高めることができる。
【００３２】
更に、刃部１０，４０を支点において回転するようにしたため、静刃と動刃を組合わせるための支点をもって刃部１０，４０とリング部１２，４２との回転を実現することができ、刃元１６，４６における切断面の綺麗なカットを行えるハサミ１がシンプルな構成となる。
【００３３】
又更に、静刃２及び動刃４における刃元１６，４６を、支点の側方近傍あるいはこれよりリング部１２，４２の側に配置したため、刃部１０，４０の角度を９０度程度まで拡大しても尚刃１４，４４が存在することとなり、従ってより適切に「切る」ためのカットをすることができるようになる。
【００３４】
加えて、カット時に支点近傍から奥に反る逃げＲが付与されているため、さほど手を奥に曲げなくても、丸めのスタートとなる鋭角の進入を支点近傍において行うことができ、上記カット方法をより簡単に実行することができるし、更に刃１４，４４の支点側を適用できるようにして、刃１４，４４が長持ちし、美しい切断面による高品位な仕上りを提供できるようになる。
【００３５】
尚、本発明は、以上の形態に限定されるものではなく、次に例示するように様々に変更することができる。
【００３６】
刃元は、支点より元側（手の側）に配置することができる。この場合、刃元と支点近傍とが異なる場合があるが、支点近傍においてより刃の中央に近い側を適用することができ、上記カット方法を行えるのは勿論、切れ味がより高いレベルで求められる際に有効である。
【００３７】
又、刃部乃至リング部は、支点以外の軸の周りで回転可能とすることができる。更に、刃部の保持は、係止具や溝によるものに限られず、ゴムを始めとする弾性体が擦り合うようにしたり、出没する突起が所定角度に対応して設けられた穴に入り込むようにしたり、これらを組合わせるようにしたりすることができる。又更に、刃部の角度を無段階に調節可能であるようにしても良い。又、刃部を保持する所定角度や、カットする際の刃の動作角度を適宜変更することができる。加えて、双方の刃部を歯車を始めとするリンク機構で接続し、一方を手で押すと他方も同角度あるいは異なる角度で開くようにすることができる。特に略同角度の場合、より一層刃部の角度を拡大又は縮小する（戻す）調整を行い易い。
【００３８】
ハサミの略髪に沿う移動は、腕の動作又は手首と腕との併用により行うことも可能である。更に、本発明に係る左手用のハサミを、ハサミを持つ手、静刃、動刃等を対称位置として作成することができ、左手による上記ヘアカット方法の実行も勿論可能である。
【００３９】
【発明の効果】
本発明によれば、髪の切断面に着目し、綺麗な切断面を形成することで、滑らかで心地良い手触りがカット直後から持続する斬新なカット方法を簡単に実行可能な新規のハサミを提供することができ、理美容業界において画期的なカット技術が普及し易くなり、当該ハサミによって良質な髪を広く提供可能となる。
【図面の簡単な説明】
【図１】本発明に係るハサミの正面説明図である。
【図２】図１のハサミにおける静刃の斜視説明図である。
【図３】図２における支点近傍のＡ−Ａ断面説明図である。
【図４】（ａ）〜（ｅ）は図１のハサミを用いた新規ヘアカット方法の説明図である。
【図５】（ａ），（ｂ）は図４のヘアカット方法における髪の切断面の説明図である。（ｃ），（ｄ）は従来のヘアカット方法における髪の切断面の説明図である。
【図６】従来のハサミの説明図である。
【符号の説明】
１・・ハサミ、２・・静刃、４・・動刃、６・・ネジ、８・・パッキン、１０，４０・・刃部、１２，４２・・リング部、１４，４４・・刃、１６，４６・・刃元、２８，３６，５８，６６・・溝、３０，６０・・リング、３８，６８・・係止具、Ｒ・・逃げ。
【図１】
0003664391.tif 000002
【図２】
0003664391.tif 000003
【図３】
0003664391.tif 000004
【図４】
0003664391.tif 000005
【図５】
0003664391.tif 000006
【図６】
0003664391.tif 000007